(57)【要約】【課題】  三脚の利用が可能であり、且つ、ローアングル撮影が容易な撮像装置を提供する。【解決手段】  本体（１０）の底面に操作ユニット３２を配設する。操作ユニット（３２）は、回転により、本体（１０）の底面の位置と底面から横にずれた位置との間で移動可能である。操作ユニット（３２）は、ズームスイッチ（３４）と、録画開始ボタン（３６）を具備する。本体（１０）の上面にもズームスイッチが配設され、背面に録画開始ボタン３０が配設される。操作ユニット（３２）を本体（１０）の底面から横にずれた位置に回転させると、三脚を取り付けるネジが露出し、三脚を取り付け可能になる。【選択図】  図３
2009300558.tif 000002
【特許請求の範囲】
【請求項１】
本体を把持して撮影が可能な撮像装置であって、
前記本体の底面に配設される操作部材を具備することを特徴とする撮像装置。
【請求項２】
前記操作部材が、前記本体の底面に密接する位置と、前記本体の底面から外れた位置との間で移動可能であることを特徴とする請求項１に記載の撮像装置。
【請求項３】
前記操作部材は、前記本体の底面に密接する位置で三脚取り付けネジを隠蔽することを特徴とする請求項２に記載の撮像装置。
【請求項４】
更に、
前記操作部材が前記本体の底面に密接する位置にあるか否かを検知する検知手段と、
前記検知手段の検知出力に従い動作を切り替える制御手段
とを具備することを特徴とする請求項２又は３に記載の撮像装置。
【請求項５】
前記動作は、手ぶれ補正、ズーム、露出、及び、前記操作部材の機能に関する制御の何れかを含むことを特徴とする請求項４に記載の撮像装置。
【請求項６】
前記操作部材が前記本体から取り外すことができることを特徴とする請求項２に記載の撮像装置。
【発明の詳細な説明】
【技術分野】
【０００１】
本発明は、手持ち撮影可能な撮像装置に関する。
【背景技術】
【０００２】
手持ち撮影可能な撮像装置として、いわゆるビデオカメラが知られている。図１７は、従来のビデオカメラの上面の外観を斜め後方から見た斜視図を示し、図１８は、底面を斜め後方から見た斜視図を示す。図１９は、図１７及び図１８に示すビデオカメラの本体部を右手で把持して、アイレベルで撮影する状態の斜視図を示す。図２０は、本体部を右手で把持し、モニタ画面を左手で把持して、ローアングルで撮影する状態の斜視図を示す。図２１は、三脚上に載せた状態の斜視図を示す。
【０００３】
図１７及び図１８に示す従来のビデオカメラは、本体２１０に対し、ヒンジ機構２１２により画像表示部２１４が開閉可能に取り付けられている。即ち、画像表示部２１４は、本体２１０に密接した状態に収容される位置（閉位置）と、本体から回転して表示画面を背面方向に向ける位置（開位置）との間で移動可能である。ヒンジ機構２１２を２軸構成とすることにより、画像表示部２１４は、表示画面を被写体方向にも向けることが可能になる。画像表示部２１４は、本体の撮像光学系２１６で捉えた被写体の画像を表示し、また、再生画像を表示できる。画像表示部２１４は、ビデオカメラの携帯時には閉位置に収容され、ユーザは、コンパクトな状態でビデオカメラを持ち運ぶことができる。
【０００４】
ビデオカメラの底面には三脚取り付けネジ２１８が設けられている。撮影の開始と停止を指示するための録画開始ボタン２２０が本体２１０の背面に配置される。記録される被写体の倍率を変更するズームスイッチ２２２（２２２ａ，２２２ｂ）が、本体２１０の上面に配設されている。画像表示部２１４の表示面の横に、録画開始ボタン２２０と同機能の録画開始ボタン２２４が配設され、ズームスイッチ２２２（２２２ａ，２２２ｂ）と同機能のズームスイッチ２２６（２２６ａ，２２６ｂ）が配設されている。
【０００５】
画像表示部２１４は、本体２１０から開いた状態で、さらに、図２０に示すように、被写体に向く方向に回動自在である。撮像光学系２１６の光軸とユーザの視線が異なる場合にも、画像表示部２１４を回転させることで、被写体又は撮影範囲を確認できる。これにより、カメラ本体を地面近くに保持して行うローアングルでの撮影が可能になる。
【０００６】
従来のビデオカメラでは、録画開始ボタン２２０とズームスイッチ２２２は、一般的にアイレベル撮影時に本体２１０を把持した手２３０の指で操作可能な箇所に配置されている。アイレベル撮影時には、図１９に示すように、人差し指１２３０ａを本体２１０のズームスイッチ２２２の近傍に添え、親指２３０ｂを録画開始ボタン２２０の近傍に添える。そして、残りの中指、薬指、小指の３本で本体を掴むようにする。
【０００７】
ローアングル撮影の際には、本体２１０を、アイレベル撮影時に対して下方に位置させる必要がある。アイレベル撮影時と同じ把持形態では、本体２１０を把持する手の姿勢が不自然なものとなる。そのため、アイレベル撮影時と異なる図２０に示すような把持形態にカメラを持ち替えて、撮影を行う。ローアングル撮影では、親指２３０ｂを本体２１０の上面側に置き、残りの人差し指、中指、薬指、小指の４本で本体を掴むように把持する。録画開始ボタン２２０とズームスイッチ２２２は、アイレベル撮影時の操作性に特化した位置に配置されている。従って、図２０に示す把持形態では、ビデオカメラを把持している右手２３０で録画開始ボタン２２０とズームスイッチ２２２を操作することが難しい。そこで、ローアングル撮影時には、左手２３２で、画像表示部２１４の画面の横に設置した録画開始ボタン２２４とズームスイッチ２２６を操作して、撮影を行う。
【０００８】
図２１に示すように、本体２１０の底面の三脚取り付けネジ２１８に三脚２３４に取り付けることで、長時間の安定した撮影が可能となる。
【０００９】
録画開始ボタン２２０，２２４及びズームスイッチ２２２，２２６などの操作部材は、機器の外観面で、且つ操作性を満足する限られた範囲に配置する必要がある。
【００１０】
ビデオカメラは一般にマイクロコンピュータによりその動作を制御されており、そのマイクロコンピュータの動作不良に対して、リセットする手段が必要になる。また、各種の設定を出荷時の状態にリセットしたい場合もある。このような目的で、ビデオカメラにリセットボタンが設けられる。
【００１１】
また、一般的なビデオカメラでは、カレンダー機能や撮影条件などのデータを、メイン電源をオフにした場合にも保持するようになっている。そのようなデータ保持のために、一般的に主電源の投入によって充電が行われるリチウム−バナジウム２次電池が用いられている。但し、この２次電池はビデオカメラ内部に固定配置されているので、ユーザは交換不可能である。リセットボタンは、このようなデータを初期化又はクリアするためにも使われる。
【００１２】
リセットボタンは、通常の撮影時には使わないものであり、一定の非常時にのみ使用されるものである。よって、あえて通常では操作しづらい場所に配置することが好ましく、ビデオカメラ底面にリセットボタンを配置することが提案されている（特許文献１）。
【特許文献１】特開２００７−３６３４８号公報
【発明の開示】
【発明が解決しようとする課題】
【００１３】
ローアングル撮影時の把持形態（図２０）では、本体を把持している手（右手）とは異なる手（左手）で、録画開始ボタンとズームスイッチを操作して撮影を行う必要がある。即ち、片手での操作が出来ないという問題がある。
【００１４】
携帯用ビデオカメラの撮影では、片手に子供を抱いて撮影を行う等、片手がふさがった状態で撮影を行う場合が多くある。そのため、従来のビデオカメラでは、ユーザが撮影のタイミングを逃すおそれがある。
【００１５】
そこで、ローアングル撮影を片手で行えるようにするために、本体の底面に、録画開始ボタン又はズームスイッチ等の操作部を配置することが考えられる。しかし、底面には三脚を取り付けることがあり、三脚と干渉しないようにしなければならない。
【００１６】
本発明は、このような事情に鑑みなされたものであり、ローアングル撮影時に利用する操作部を三脚と干渉しないように本体底面に取り付けた撮像装置を提示することを目的とする。
【課題を解決するための手段】
【００１７】
本発明に係る撮像装置は、本体を把持して撮影が可能な撮像装置であって、前記本体の底面に配設される操作部材を具備することを特徴とする。
【発明の効果】
【００１８】
本発明によれば、本体の底面に操作部材を配置するので、ローアングル撮影時においても、把持時に片手で操作を行うことが可能となる。また、本体の表面を効率良く使用して操作部を配置できる。
【発明を実施するための最良の形態】
【００１９】
以下、図面を参照して、本発明の実施例を詳細に説明する。
【実施例１】
【００２０】
図１乃至図３は、本発明の一実施例であるビデオカメラの外観斜視図を示す。図４は、ビデオカメラの本体の底面に配置する操作ユニットの分解斜視図を示す。図５乃至図７は、使用状態での外観斜視図を示す。図８は、アイレベル撮影の把持形態での斜視図を示す。図９及び図１０は、ローアングル撮影での把持形態での斜視図を示す。図１１は、三脚に設置した状態の斜視図を示す。図１２は、本実施例の概略構成ブロック図を示す。なお、本明細書では、ビデオカメラのレンズ被写体側を機器の前方、設置面側を底面とし、撮影者からビデオカメラを見た右及び左をそれぞれ右側及び左側とする。
【００２１】
本実施例のビデオカメラは、本体１０の前面に、多数のレンズ群によって構成されている撮像光学系１２を具備する。撮像光学系１２は、ズームレンズ群１２ａ、フォーカスレンズ群１２ｂ及び、これらを駆動するモータ等のレンズ群駆動手段１２ｃからなる（図１２）。ユーザの望遠（テレ）側又は広角（ワイド）側へのズーム操作に応じて、撮像光学系１２のズームレンズ群１２ａが光軸方向に移動させることで、撮影像の倍率が変化する。フォーカスレンズ群１２ｂを光軸方向に移動させることで、撮像光学系１２のフォーカスが変化する。
【００２２】
撮像光学系１２による光学像は、撮像素子１４上に結像する。撮像素子１４の受光面には多数のフォトセンサが平面的に配列されており、光学像は、各フォトセンサによって入射光量に応じた量の信号電荷に変換される。画像処理回路１６が、撮像素子１４からの信号電荷を輝度信号及び色差信号からなるデジタル画像信号に変換し、ガンマ補正等の所定の処理を施して、メモリ１８に格納する。
【００２３】
メモリ１８に格納された画像データは、制御ＣＰＵ２０の指令に従って、定期的に読み出され、画像表示部２２の液晶パネルに表示される。これにより、ユーザは、画像表示部２２の表示画像により、撮像光学系１２の視野内の被写体をリアルタムで確認できる。記録再生装置２４は、メモリ１８に格納された画像データは、必要に応じて圧縮処理して、記録媒体２６に記録する。記録再生装置２４はまた、再生モードでは、記録媒体２６に記録された画像データを読み出して、メモリ１８に格納する。
【００２４】
記録媒体２６は、磁気ディスク、光ディスク、光磁気ディスク又はフラッシュメモリなど、電子的、磁気的、光学的、又はこれらの組み合わせによりデータを記録する媒体である。記録媒体２６は、ビデオカメラから着脱可能な媒体であっても、内蔵される媒体であってもよい。
【００２５】
本体１０の上面にはズームスイッチ２８が配置されている．ズームスイッチ２８は、望遠（テレ）側への変更を指示するテレボタン２８ａと、広角（ワイド）側への変更を指示するワイドボタン２８ｂからなる。ズームスイッチ２８は、撮像光学系１２へのズーム操作信号に関わる操作部である。制御ＣＰＵ２０はズームスイッチ２８によるテレ方法又はズーム方向への操作信号を検出すると、レンズ群駆動手段１２ｃを制御してズームレンズ群１２ｂを光軸方向に進退駆動させる。ズームスイッチ２８は、アイレベルでの把持形態において、撮影者がビデオカメラを保持する手の人差し指または中指で操作できる位置に設けられている。
【００２６】
画像表示部２２は、本体１０の左側面に配置されている。画像表示部２２は、フレキシブル基板を介して、制御ＣＰＵ２０を有する基板に電気的に接続する。画像表示部２２は、ヒンジ部２２ｂにより本体１０に対して開閉自在であり、本体１０に密接する閉状態（又は収納状態）と、本体１０から開かれた開状態（展開状態）との間で回動可能である。画像表示部２２は、画像表示面である大型の液晶パネル２２ａと、液晶パネル２２ａを後方から証明するするバックライトからなる。勿論、液晶パネル２２ａの駆動回路と、バックライトを点灯させるインバータ回路等も組み込まれている。ヒンジ２２ｂは、直交する２軸で回転可能であり、画像表示部２２の向きを２軸で変更できる。このような２軸ヒンジ機構の構成は周知であるので、これ以上の説明を省略する。
【００２７】
画像表示部２２は、撮影時に画角確認用の電子ファインダとして使用できるとともに、撮影した画像のプレビュー画、及び、記録再生装置２４から読み出した再生画像を表示できる。また、ズーム可変範囲と現在のズーム位置を示すズームバー並びに記録画質表示及び画素数表示等の情報を表示できる。
【００２８】
本体１０の背面には、映像記録の開始と停止を指示する録画開始ボタン３０が設置されている。制御ＣＰＵ２０は、録画開始ボタン３０の押下を検知すると、録画動作をスタートし、録画中の録画開始ボタン３０の押下に応じて、録画動作を停止する。録画開始ボタン３０は、アイレベルでの把持状態で、撮影者がビデオカメラ本体を保持した手の親指で操作可能な位置に配置されている。
【００２９】
撮影時に撮影者により把持される本体１０の右側面には、図５に示すように、開閉自在なスロットカバー４０が設けられている。スロットカバー４０の内部には、記録媒体２６を装着するメディアスロットと、バッテリパック４２の装着部が設けられている。バッテリ装着部には、バッテリパック４２を固定する図示しないフック機構（不図示）と、バッテリパック４２に電気接続して電力を本体１０に導くバッテリ端子（不図示）が設置されている。
【００３０】
本体１０の底面には、図２に示すように、操作ユニット３２が設置されている。操作ユニット３２には、ズームスイッチ２８と同様のズームスイッチ３４（３４ａ，３４ｂ）と、録画開始ボタン３０と同様の録画開始ボタン３６が設けられる。
【００３１】
図４は、操作ユニット３２の分解斜視図を示す。操作ユニット３２を構成する上カバー３２ａと下カバー３２ｂとの間に、操作ツマミ４６ａ，４８ａと、プリント基板５０が配置される。プリント基板５０上に、操作ツマミ４６ａ，４８ａの操作をそれぞれ電気信号に変換するスイッチ４６ｂ，４８ｂが実装されている。操作ツマミ４６ａとスイッチ４６ｂがズームスイッチ３４を構成し、操作ツマミ４８ａとスイッチ４８ｂが録画開始スイッチ３６を構成する。プリント基板５０は、フレキシブル基板５２により、本体１０の内部の主制御基板と接続する。
【００３２】
また、操作ユニット３２は、操作ユニット３２の前側と後側に配置される１対のヒンジ５４を介してカメラ本体１０に結合されている。この１対のヒンジ５４により、操作ユニット３２は、カメラ本体１０の底面に密接する閉位置と、カメラ本体１０の横方向に突出した開位置との間で移動可能である。ヒンジ５４は、軸５４ａと、本体１０に固定され、軸５４ａが貫通する固定部５４ｂと、固定部５４ｂを貫通する軸５４ａの抜けを防止する抜け止めリング５４ｃから成る。ヒンジ５４は、板バネ５４ｄと軸５４ａに設けられた凹部を用いたクリック機構を有しており、これにより、操作ユニット３２の開状態（図７）を保持できるようになっている。
【００３３】
ヒンジ５４による回転方式の代わりに、本体１０の底面に対して平行に横移動するスライド方式で操作ユニット３２を本体１０の底面に結合しても良い。
【００３４】
開閉検知スイッチ３８は、操作ユニット３２の開閉状態を検知する。開閉検知スイッチ３８は、操作ユニット３２の突起５６（図７）により押圧された状態で、操作ユニット３２の閉を示す信号を出力し、それ以外では、開を示す信号を出力する。この開又は閉を示す信号は、制御ＣＰＵ２０に送られる。
【００３５】
図２に示すように、操作ユニット３２が閉状態にあるときの外観側の凹面３２ｃに、ズームスイッチ３４（３４ａ，３４ｂ）と録画開始ボタン３６が配置される。その他のスイッチ、例えば、撮影条件の変更を行う操作スイッチや、液晶パネル２２ａのバックライトの輝度を変化させるスイッチを配置してもよい。
【００３６】
操作ユニット３２の下カバー３２ｂの底面には、エラストマー等の弾性部材からなる複数の圧入係止ボス５８ａ，５８ｂを設ける。操作ユニット３２の閉状態で圧入係止ボス５８ａ，５８ｂと対面する本体１０の底面に、圧入穴６０ａ，６０ｂを設ける。操作ユニット３２を閉じたときに、圧入係止ボス５８ａ，５８ｂが圧入穴６０ａ，６０ｂが圧入するほどに操作ユニット３２を本体１０の底面６２に押し付けることで、操作ユニット３２が本体１０の底面に係止され、保持される。操作ユニット３２を開いた状態で、圧入係止ボス５８ａ，５８ｂが本体１０の底面６２と同じ水平面上に位置するようにその高さと位置を設定しておくと、本体１０を安定に水平台上に設置できる。圧入係止ボス５８ａ，５８ｂが弾性部材からなるので、操作ユニット３２が開状態にあるとき、本体１０の横滑りを止める効果が得られる。
【００３７】
図７から分かるように、本体１０の底面６２には、三脚を取り付け可能な三脚取り付けネジ６４が配置されている。この三脚取り付けネジ６４は、操作ユニット３２を閉じたときには操作ユニット３２により隠蔽される。即ち、操作ユニット３２を開いた状態では、本体１０に三脚を取り付けることが可能である。なお、三脚取り付けネジ６４を設けた部分の外表面を、開状態の操作ユニット３２の開状態の圧入係止ボス５８ａ，５８ｂの先端面と同水平面上になるように設定することで、卓上などにビデオカメラを安定に設置することが可能になる。
【００３８】
閉状態で本体１０の底面に対面する操作ユニット３２の面、又は、操作ユニット３２を開いたときに露出する本体１０の底面部分に、使用頻度の少ない操作スイッチを配設してもよい。これにより、撮影者が、普段使用しないスイッチを誤って撮影時に操作する問題が低減し、操作性が向上する。
【００３９】
本実施例の撮影時の把持携帯と操作方法を説明する。本実施例のように、画像表示部を本体の側部に２軸で回転可能に取り付けたビデオカメラでは、２通りの撮影形態がある。第１が撮像光学系とユーザの目線位置をおおむね一致させた状態で撮影を行うアイレベル撮影であり、第２が、カメラをより低い位置に置くローアングル撮影である。勿論、図１１に示すように、ビデオカメラを三脚６６に取り付けて撮影を行うことも可能である。
【００４０】
本実施例では、ビデオカメラを三脚６６に取り付けて撮影を行う場合と、机上などにビデオカメラを置いて撮影を行う場合では、図６に示すように、操作ユニット３２を開状態にする。
【００４１】
操作ユニット３２が開状態になっているので、本体１０の底面６２の三脚取り付けネジ６４を含む設置面が露出する。これにより、机等への設置時に、操作ユニット３２の閉状態と比較して、広い設置面を確保できる。露出した三脚取り付けネジ６４に三脚６６に取り付けることで、特に高倍率の画像の撮影を、より安定に行える。
【００４２】
図８は、アイレベル撮影時における把持形態を示す。アイレベル撮影時には、人差し指７０ａを本体１０の上面のズームスイッチ２８近傍に置き、親指７０ｂを本体１０の背面の録画開始ボタン３０の近傍に添え、残りの中指、薬指、小指の３本は、本体１０の前方部分を掴むようにする。
【００４３】
図９及び図１０は、ローアングル撮影時における把持形態を示す。図９は、下側から見た斜視図を示し、図１０は、上側から見た斜視図を示す。ローアングル撮影時には、親指７８ｂを機器の上面側に置き、残りの人差し指７８ａ、中指、薬指及び小指の４本を本体１０の底面側に回り込ませ、本体１０を掴むようにして把持する。操作ユニット３２が閉位置にあるとき、ズームスイッチ３４及び録画開始ボタン３６が、本体１０の底面に配置されたのと同じになる。従って、撮影者は、ローアングル撮影時に、ズームスイッチ３４及び録画開始ボタン３６を使って、片手で撮影を行える。
【００４４】
操作ユニット３２を閉位置に置いたときには、卓上等に置いて撮影することは考えられないので、操作ユニット３２の外表面を、曲面を有した形状とすることも可能である。これにより、グリップ時、撮影者の把持した手にしっかりとフィットする良好なグリップ形状を採用できる。
【００４５】
本実施例では、操作ユニット３２を開状態にすることに応じて、撮影モードを特定のモードに移行させることが可能になる。図１３は、その制御フローチャートを示す。
【００４６】
開閉検知スイッチ３８は、操作ユニット３２が開状態に移行したことを検知すると、所定信号を制御ＣＰＵ２０に供給する。制御ＣＰＵ２０は、開閉検知スイッチ３８の検知出力により操作ユニット３２が開状態であるか否かを判断する（Ｓ１）。制御ＣＰＵ２０は、操作ユニット３２が開状態であると、撮影モードを設置モードに移行させる（Ｓ２）。設置モードは、手ぶれを生じない安定した状態での撮影に応じた撮影モードであり、安定撮影モードとも言える。設置モードは、ビデオカメラの本体１０をしっかりとした卓上に設置した場合、又は、三脚６６に取り付けた場合に対応する。設置モードでは、例えば、手ぶれ補正機能をオフにし、レンズ高倍率制限を解除し、操作ユニット３２に設置される操作部の機能を変更する。操作部の機能変更の一例として、例えば、操作ユニット３２が開状態である場合に、操作ユニット３２からの操作信号を有効とし、操作ユニット３２が閉状態である場合、操作ユニット３２からの操作信号を無効とする。これによって、誤操作を防止出来る。
【００４７】
図１３に示す制御フローのような、操作ユニット３２の開閉に応じた撮影モードの自動切替えを有効にするか否かを撮影者が選択できるのが望ましい。そのような設定が、例えば、メモリ１８に保存される。
【００４８】
このように、操作ユニットの開閉に応じて、手持ちでの撮影に対応する手持ち撮影モードと、静止した状態での撮影に対応する安定撮影モードとを移行することにより、良好な操作性を提供できる。
【実施例２】
【００４９】
操作ユニットに赤外線発信手段を設けて、本体から取り外し可能としても良い。そして、赤外線等によるリモコン操作によって、操作信号を制御ＣＰＵに送信する。図１４及び図１５は、そのように変更した実施例の斜視図を示す。図１４は、操作ユニット１３２を本体１１０の底面に結合した状態の斜視図を示す。図１５は、操作ユニット１３２を本体１１０から取り外した状態の斜視図を示す。図１６は、操作ユニット１３２の分解斜視図を示す。
【００５０】
操作ユニット１３２は、操作ユニット１３２の凹部１３４が本体１１０のロック部１３６と係合することで、本体１１０に固定される。操作ユニット１３２の本体１１０への着脱は、実施例１と同様に検知スイッチ１３８によって検知される。
【００５１】
操作ユニット１３２の内部にはプリント基板１４０（図１６）が収容され、プリント基板１４０には赤外線発光素子１４２が実装されている。操作ユニット１３２内の電気電子要素は、プリント基板１４０に実装された電池１４４によって駆動される。
【００５２】
赤外線発光素子１４２は、操作ユニット１３２の操作に応じた赤外線信号を発生する。この赤外線信号は、操作ユニット１３２の端面の窓１４６から外部に出射される。また、本体の赤外線受光部１４８が、操作ユニット１３２からの赤外線信号を受信する。このような赤外線通信より、操作ユニット１３２の操作信号が、本体の制御ＣＰＵに供給される。
【００５３】
操作ユニット１３２が本体１１０に結合されているとき、操作ユニット１３２のコネクタ１５０が本体１１０の図示しないコネクタと電気的に接続する。従って、赤外線を介さずに、操作ユニット１３２の操作信号を、本体の制御ＣＰＵに供給できる。
【００５４】
このように、操作ユニット１３２を本体１１０から取り外し自在とすることで、実施例１と同様の作用効果を享受できる。即ち、本体の底面に操作部材を配置できるので、本体の表面を効率良く使用して、操作性の良い操作環境を実現できる。ローアングル撮影時でも、把持時に片手で操作を行うことが可能となる。また、底面を卓上等に設置したときの設置面として特化させる必要が無いので、底面形状を撮影者の手にフィットする自由な形状にでき、良好なグリップを実現できる。遠隔操作用のリモコンを別途用意する必要がないので、部品点数を削減でき、コストを低減できる。
【図面の簡単な説明】
【００５５】
【図１】本発明の実施例１の外観斜視図である。
【図２】実施例１の外観斜視図である。
【図３】実施例１の外観斜視図である。
【図４】実施例１の操作ユニットの分解斜視図である。
【図５】実施例１の外観斜視図である。
【図６】実施例１の外観斜視図である。
【図７】操作ユニットを開状態に置いたときの、実施例１の外観斜視図である。
【図８】実施例１のアイレベル撮影の際の把持形態を示す斜視図である。
【図９】実施例１のローアングル撮影の際の把持形態を示す斜視図である。
【図１０】実施例１のローアングル撮影の際の把持形態を示す斜視図である。
【図１１】実施例１を三脚上に固定したときに斜視図である。
【図１２】実施例１の概略構成ブロック図である。
【図１３】実施例１の撮影モードの制御フローチャートである。
【図１４】本発明の実施例２の斜視図である。
【図１５】実施例２の操作ユニットを本体から分離した状態の斜視図である。
【図１６】実施例２の操作ユニットの分解斜視図である。
【図１７】従来のビデオカメラの斜視図である。
【図１８】従来のビデオカメラの斜視図である。
【図１９】アイレベル撮影の際の従来のビデオカメラの把持形態を示す斜視図である。
【図２０】ローアングル撮影の際の従来のビデオカメラの把持形態を示す斜視図である。
【図２１】従来のビデオカメラを三脚上に置いた状態の斜視図である。
【符号の説明】
【００５６】
１０：本体
１２：撮像光学系
１２ａ：ズームレンズ群
１２ｂ：フォーカスレンズ群
１２ｃ：レンズ群駆動手段
１４：撮像素子
１６：画像処理回路
１８：メモリ
２０：制御ＣＰＵ
２２：画像表示部
２２ａ：液晶パネル
２２ｂ：ヒンジ
２４：記録再生装置
２６：記録媒体
２８：ズームスイッチ
２８ａ：テレボタン
２８ｂ：ワイドボタン
３０：録画開始ボタン
３２：操作ユニット
３２ａ：上カバー
３２ｂ：下カバー
３２ｃ：凹面
３４（３４ａ，３４ｂ）：ズームスイッチ
３６：録画開始スイッチ
３８：開閉検知スイッチ
４０：スロットカバー
４２：バッテリパック
４６ａ，４８ａ：操作ツマミ
４６ｂ，４８ｂ：スイッチ
５０：プリント基板
５２：フレキシブル基板
５４：ヒンジ
５４ａ：軸
５４ｂ：固定部
５４ｃ：リング
５４ｄ：板バネ
５８ａ，５８ｂ：圧入係止ボス
６０ａ，６０ｂ：圧入穴
６２：底面
６４：三脚取り付けネジ
６６：三脚
７０ａ：人差し指
７０ｂ：親指
１１０：本体
１３２：操作ユニット
１３４：凹部
１３８：検知スイッチ
１４０：プリント基板
１４２：赤外線発光素子
１４４：電池
１４６：窓
１４８：赤外線受光部
１５０：コネクタ
２１０：本体
２１２：ヒンジ機構
２１４：画像表示部
２１６：撮像光学系
２１８：三脚取り付けネジ
２２０：録画開始ボタン
２２２（２２２ａ，２２２ｂ）：ズームスイッチ
２２４：録画開始ボタン
２２６（２２６ａ，２２６ｂ）：ズームスイッチ
２３０：右手
２３０ａ：人差し指
２３０ｂ：親指
２４０：三脚
【図１】
2009300558.tif 000003
【図２】
2009300558.tif 000004
【図３】
2009300558.tif 000005
【図４】
2009300558.tif 000006
【図５】
2009300558.tif 000007
【図６】
2009300558.tif 000008
【図７】
2009300558.tif 000009
【図８】
2009300558.tif 000010
【図９】
2009300558.tif 000011
【図１０】
2009300558.tif 000012
【図１１】
2009300558.tif 000013
【図１２】
2009300558.tif 000014
【図１３】
2009300558.tif 000015
【図１４】
2009300558.tif 000016
【図１５】
2009300558.tif 000017
【図１６】
2009300558.tif 000018
【図１７】
2009300558.tif 000019
【図１８】
2009300558.tif 000020
【図１９】
2009300558.tif 000021
【図２０】
2009300558.tif 000022
【図２１】
2009300558.tif 000023